【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
電気音響変換器を介して楽音を発生するために、複数発音チャンネルの波形信号を生成する波形信号生成方法において、
指定音高と、指定ベロシティとを伴う発音指示情報を受けとる過程と、
該指定音高が、前記電気音響変換器に関連して予め定められた境界音高以下であるか否かを判定する判定過程と、
前記発音指示情報に応じて、前記指定ベロシティに応じた第１音量エンベロープ変化特性を有する通常波形信号を生成する通常波形信号生成過程と、
該判定過程において前記指定音高が前記境界音高以下である旨が判定されたことを条件として、前記指定音高の倍音を含み、等ラウドネス曲線に基づき前記第１音量エンベロープ変化特性による音量感と同一の音量感を与えるように決定された第２音量エンベロープ変化特性を有する疑似低音波形信号を生成する疑似低音波形信号生成過程と
を有することを特徴とする波形信号生成方法。
【請求項２】
さらに、前記通常波形信号と前記疑似低音波形信号とを混合する混合過程を有する
ことを特徴とする請求項１記載の波形信号生成方法。
【請求項３】
前記通常波形信号生成過程は、予め記憶された通常楽音の波形データを読み出し、読み出された該通常楽音の波形データに基づいて前記通常波形信号を生成するものであり、
前記疑似低音波形信号生成過程は、前記通常楽音の波形データに対応して記憶された疑似低音の波形データを読み出し、読み出された該疑似低音の波形データに基づいて前記疑似低音波形信号を生成するものである
ことを特徴とする請求項１記載の波形信号生成方法。
【請求項４】
前記通常波形信号生成過程および前記疑似低音波形信号生成過程は、それぞれ、複数のオペレータを組み合わせたアルゴリズムによって、前記通常波形信号および前記疑似低音波形信号を発生させるものである
ことを特徴とする請求項１記載の波形信号生成方法。
【請求項５】
前記通常波形信号生成過程に適用されるオペレータは第１の発音チャンネルに含まれるものであり、
前記疑似低音波形信号生成過程に適用されるオペレータは前記第１の発音チャンネルとは異なる第２の発音チャンネルに含まれる
ことを特徴とする請求項４記載の波形信号生成方法。
【請求項６】
前記通常波形信号生成過程および前記疑似低音波形信号生成過程に適用されるオペレータは１つの発音チャンネルに含まれるものであり、これらオペレータの出力信号を加算することによって当該発音チャンネルを介して前記通常波形信号と前記疑似低音波形信号とを混合した波形信号を出力する
ことを特徴とする請求項４記載の波形信号生成方法。
【請求項７】
前記通常波形信号生成過程および前記疑似低音波形信号生成過程は、複数のオペレータを組み合わせたアルゴリズムによって、各々前記通常波形信号および前記疑似低音波形信号を生成するものであり、
前記疑似低音波形信号生成過程においては、前記指定音高のピッチの波形データを発生させる第１のオペレータと、前記指定音高の２倍のピッチの波形データに対して、前記第１のオペレータの出力する波形データによる周波数変調を施す第２のオペレータとによって前記疑似低音波形信号を発生させる
ことを特徴とする請求項１記載の波形信号生成方法。
【請求項８】
請求項１ないし７の何れかに記載の方法を実行することを特徴とする波形信号生成装置。
【請求項９】
請求項１ないし７の何れかに記載の方法を処理装置に実行させるプログラムを記憶したことを特徴とする記録媒体。
【手続補正２】
【補正対象書類名】明細書
【補正対象項目名】０００６
【補正方法】変更
【補正の内容】
【０００６】
上記課題を解決するため本発明にあっては、下記構成を具備することを特徴とする。なお、括弧内は例示である。
請求項１記載の波形信号生成方法にあっては、電気音響変換器を介して楽音を発生するために、複数発音チャンネルの波形信号を生成する波形信号生成方法において、指定音高（ＮＮ）と、指定ベロシティ（ＶＥＬ）とを伴う発音指示情報（ノートオンイベント）を受けとる過程（ステップＳＰ２）と、該指定音高が、前記電気音響変換器に関連して予め定められた境界音高以下であるか否かを判定する判定過程（ステップＳＰ８）と、前記発音指示情報に応じて、前記指定ベロシティに応じた第１音量エンベロープ変化特性を有する通常波形信号を生成する通常波形信号生成過程（ステップＳＰ１０，ＳＰ２２〜ＳＰ２６）と、該判定過程において前記指定音高が前記境界音高以下である旨が判定されたことを条件として、前記指定音高（ＮＮ）の倍音を含み、等ラウドネス曲線に基づき前記第１音量エンベロープ変化特性による音量感と同一の音量感を与えるように決定された第２音量エンベロープ変化特性を有する疑似低音波形信号を生成する疑似低音波形信号生成過程（ステップＳＰ１２、ＳＰ３２〜ＳＰ３８）とを有することを特徴とする。
さらに、請求項２記載の構成にあっては、請求項１記載の波形信号生成方法において、さらに、前記通常波形信号と前記疑似低音波形信号とを混合する混合過程を有することを特徴とする。
さらに、請求項３記載の構成にあっては、請求項１記載の波形信号生成方法において、前記通常波形信号生成過程は、予め記憶された通常楽音の波形データ（通常楽音波形データ３８）を読み出し、読み出された該通常楽音の波形データに基づいて前記通常波形信号を生成するものであり、前記疑似低音波形信号生成過程は、前記通常楽音の波形データ（通常楽音波形データ３８）に対応して記憶された疑似低音の波形データ（疑似低音波形データ５２）を読み出し、読み出された該疑似低音の波形データに基づいて前記疑似低音波形信号を生成するものであることを特徴とする。
さらに、請求項４記載の構成にあっては、請求項１記載の波形信号生成方法において、前記通常波形信号生成過程および前記疑似低音波形信号生成過程は、それぞれ、複数のオペレータを組み合わせたアルゴリズムによって、前記通常波形信号および前記疑似低音波形信号を発生させるものであることを特徴とする。
さらに、請求項５記載の構成にあっては、請求項４記載の波形信号生成方法において、前記通常波形信号生成過程に適用されるオペレータは第１の発音チャンネルに含まれるものであり、前記疑似低音波形信号生成過程に適用されるオペレータは前記第１の発音チャンネルとは異なる第２の発音チャンネルに含まれることを特徴とする。
さらに、請求項６記載の構成にあっては、請求項４記載の波形信号生成方法において、前記通常波形信号生成過程および前記疑似低音波形信号生成過程に適用されるオペレータは１つの発音チャンネルに含まれるものであり、これらオペレータの出力信号を加算することによって当該発音チャンネルを介して前記通常波形信号と前記疑似低音波形信号とを混合した波形信号を出力することを特徴とする。
さらに、請求項７記載の構成にあっては、請求項１記載の波形信号生成方法において、前記通常波形信号生成過程および前記疑似低音波形信号生成過程は、複数のオペレータを組み合わせたアルゴリズムによって、各々前記通常波形信号および前記疑似低音波形信号を生成するものであり、前記疑似低音波形信号生成過程においては、前記指定音高のピッチの波形データを発生させる第１のオペレータ（変形例（９）のモジュレータ側オペレータ）と、前記指定音高の２倍のピッチの波形データに対して、前記第１のオペレータの出力する波形データによる周波数変調を施す第２のオペレータ（同、キャリア側オペレータ）とによって前記疑似低音波形信号を発生させることを特徴とする。
また、請求項８記載の波形信号生成装置にあっては、請求項１ないし７の何れかに記載の方法を実行することを特徴とする。
また、請求項９記載の記録媒体にあっては、請求項１ないし７の何れかに記載の方法を処理装置に実行させるプログラムを記憶したことを特徴とする。
【手続補正３】
【補正対象書類名】明細書
【補正対象項目名】０００７
【補正方法】変更
【補正の内容】
【０００７】
以上説明したように本発明によれば、指定音高が、電気音響変換器に関連して予め定められた境界音高以下であるか否かを判定することによって通常波形信号または疑似低音波形信号を生成するとともに、該疑似低音波形信号に対して、所定の等ラウドネス曲線に基づき、第１音量エンベロープ変化特性による音量感と同一の音量感を与えるように決定された第２音量エンベロープ変化特性を施したから、必要な演算量を低減しつつ疑似低音を発生させることができる。